(57)【要約】      （修正有）【課題】筐体に対して映像素子部を回動可能に設けた状態において筐体の防水性が確保できる携帯端末を提供する。【解決手段】携帯端末は、筐体１１の切欠部に軸部を介して配置された映像素子部２０と、軸部の中空部を介して筐体および映像素子部間に配設される同軸ケーブル２２とを備えている。同軸ケーブルは、第１電線部９４、第２電線部９５、止水部９９を有する。第１電線部が軸部の軸線に沿って配置され、第２電線部が第１電線部に対して交差するとともに回路基板の面方向に沿って連続される。止水部が筐体の内部において第１電線部を握着される。第２電線部は、筐体の内面および音響部品間に配置される。【選択図】図１１
2014103638.tif 000002
【特許請求の範囲】
【請求項１】
表示装置が設けられた表示面と、前記表示面に対して直交する第１端面と、前記表示面および前記第１端面に対して直交する第２端面とを有する筐体と、
前記第１端面に対して平行、かつ、前記第２端面に隣り合う第３端面と、前記第２端面に対して平行、かつ、前記第１端面および前記第３端面に隣り合う第４端面とに囲まれて前記筐体に形成された切欠部と、
前記筐体に収容された回路基板および音響部品と、
前記第４端面に連結され、前記第３端面に対して平行な方向に延びる中空部を有する軸部と、前記軸部に支持されるとともに前記切欠部に配置され、前記軸部の軸線を中心として前記筐体に対して回動可能な本体とを有する映像素子部と、
前記中空部を介して前記筐体および前記映像素子部間に配設される同軸ケーブルと、を備え、
前記同軸ケーブルは、前記軸部の前記軸線に沿うとともに端部が前記筐体の内部に配置される第１電線部と、前記筐体の内部において前記第１電線部に連結され、前記第１電線部に対して交差するとともに前記回路基板の面方向に沿って連続する第２電線部と、前記筐体の内部において前記第１電線部を握着する止水部と、を有し、
前記第２電線部は、前記筐体の内面および前記音響部品間に配置されている携帯端末。
【請求項２】
請求項１に記載の携帯端末において、
前記筐体に収容されているとともに前記第１端面に露出する外部コネクタを有し、
前記第１端面側から見たときに、前記止水部および前記音響部品が重複しているとともに、前記音響部品および前記外部コネクタが互いに少なくとも一部が重複している携帯端末。
【請求項３】
請求項１または請求項２に記載の携帯端末において、
前記筐体の内面における前記音響部品に対応する位置に設けられ、前記第２電線部が収容される凹状の共鳴空間と、
前記共鳴空間および前記第２電線部を覆うフレキシブル回路基板と、
前記フレキシブル回路基板における前記共鳴空間とは反対側の面に設けられた第１接点部と、
前記音響部品における前記フレキシブル回路基板側を向く底面に設けられ、前記第１接点部に接触する第２接点部とを有する携帯端末。
【請求項４】
請求項３に記載の携帯端末において、
前記同軸ケーブルは、前記第２電線部に連結され、前記表示装置に向かって配設される第３電線部と、
前記第３電線部に連結され、前記回路基板における前記表示装置側の面に設けられた接続部に接続される第４電線部と、
前記第４電線部に設けられ、前記回路基板における前記表示面側に設けられたコネクタに接続される接続部とを有する携帯端末。
【請求項５】
請求項１に記載の携帯端末において、
前記映像素子部は、
前記軸部の周部に設けられた鍔部と、
前記鍔部に連結され、前記軸部の軸線に対して直交する方向に連通可能な枠部と、
前記枠部に収容され、前記軸部の軸線に対して直交する方向に沿って光軸が配向された映像素子と、
前記枠部および前記映像素子を覆うととともに前記鍔部に開口が閉鎖される有底筒状のカバーと、
前記カバーの側面における前記光軸に対応した位置に設けられた透光部と、を有する携帯端末。
【請求項６】
請求項５に記載の携帯端末において、
前記第１電線部に連結され、前記映像素子部の内部において分岐するとともに前記映像素子に接続される第１分岐線および第２分岐線を有し、
前記枠部内において前記映像素子は、前記第１分岐線および前記第２分岐線に保持される携帯端末。
【請求項７】
請求項５に記載の携帯端末において、
前記映像素子と前記透光部との間に設けられた環状の弾性部材と、
前記弾性部材と前記透光部との間に設けられ、前記カバーの内面に摺接可能な板金部材と、を有する携帯端末。
【請求項８】
請求項５に記載の携帯端末において、
前記鍔部と、前記開口との間にＯリングが介装されている携帯端末。
【発明の詳細な説明】
【技術分野】
【０００１】
本発明は、筐体の切欠部に映像素子部を回動可能に配置し、映像素子部に設けられた軸部の中空部を介して筐体および映像素子部間に同軸ケーブルが配設された携帯端末に関する。
【背景技術】
【０００２】
携帯端末として、筐体の正面に開口部が形成され、開口部に表示部が設けられることにより、筐体の内部に密閉された空間が形成され、この空間に回路基板、バッテリ、スピーカやカメラ部（映像素子部）等が収容されている。
筐体の背面に形成された映像素子部用の開口が形成され、この開口から映像素子部の撮像レンズが露出されている。撮像レンズおよび開口間は防水性が確保されている（特許文献１）。
【先行技術文献】
【特許文献】
【０００３】
【特許文献１】特開２０１２−１０００３４号公報（段落0029〜段落0030）
【発明の概要】
【発明が解決しようとする課題】
【０００４】
ところで、特許文献１の携帯端末は映像素子部の撮像レンズが筐体の背面に固定されている。このため、例えば、表示部を見ながら自分自身を撮影する「自分撮り」をすることができなかった。
この対策として、近年、筐体に対して軸部を介して回動可能な映像素子部を設けた携帯端末が提案されている。このような携帯端末において、筐体に防水性が得られる構造が求められている。
【０００５】
本発明は、前述した課題を解決するためになされたものであり、その目的は、筐体に対して映像素子部を回動可能に設けた状態において筐体の防水性が確保できる携帯端末を提供することにある。
【課題を解決するための手段】
【０００６】
本発明の携帯端末は、表示装置が設けられた表示面と、前記表示面に対して直交する第１端面と、前記表示面および前記第１端面に対して直交する第２端面とを有する筐体と、前記第１端面に対して平行、かつ、前記第２端面に隣り合う第３端面と、前記第２端面に対して平行、かつ、前記第１端面および前記第３端面に隣り合う第４端面とに囲まれて前記筐体に形成された切欠部と、前記筐体に収容された回路基板および音響部品と、前記第４端面に連結され、前記第３端面に対して平行な方向に延びる中空部を有する軸部と、前記軸部に支持されるとともに前記切欠部に配置され、前記軸部の軸線を中心として前記筐体に対して回動可能な本体とを有する映像素子部と、前記中空部を介して前記筐体および前記映像素子部間に配設される同軸ケーブルと、を備え、前記同軸ケーブルは、前記軸部の前記軸線に沿うとともに端部が前記筐体の内部に配置される第１電線部と、前記筐体の内部において前記第１電線部に連結され、前記第１電線部に対して交差するとともに前記回路基板の面方向に沿って連続する第２電線部と、前記筐体の内部において前記第１電線部を握着する止水部と、を有し、前記第２電線部は、前記筐体の内面および前記音響部品間に配置されている。
【０００７】
筐体の第３端面および第４端面で筐体の角部に切欠部を形成し、第４端面から軸部を連結した。軸部を中心として映像素子部を回動可能に支持し、映像素子部を切欠部に配置した。さらに、軸部の中空部を介して筐体および映像素子部間に同軸ケーブルを配設し、同軸ケーブルの第１電線部を筐体の内部において止水部で握着するようにした。
これにより、筐体に対して映像素子部（カメラ部）を回動可能に設けた状態において筐体の防水性を止水部で確保できる。
【０００８】
本発明の携帯端末は、前記筐体に収容されているとともに前記第１端面に露出する外部コネクタを有し、前記第１端面側から見たときに、前記止水部および前記音響部品が重複しているとともに、前記音響部品および前記外部コネクタが互いに少なくとも一部が重複している。
【０００９】
筐体の第１端面から外部コネクタを露出させ、筐体に音響部品を収容した。この筐体を第１端面側から見たときに、止水部および音響部品が重複し、かつ、音響部品および外部コネクタの少なくとも一部が重複するようにした。
よって、止水部、音響部品および外部コネクタをコンパクトにまとめて配置できる。これにより、筐体内部の空間を有効活用して止水部、音響部品および外部コネクタを収容できるので筐体を小型に形成できる。
【００１０】
本発明の携帯端末は、前記筐体の内面における前記音響部品に対応する位置に設けられ、前記第２電線部が収容される凹状の共鳴空間と、前記共鳴空間および前記第２電線部を覆うフレキシブル回路基板と、前記フレキシブル回路基板における前記共鳴空間とは反対側の面に設けられた第１接点部と、前記音響部品における前記フレキシブル回路基板側を向く底面に設けられ、前記第１接点部に接触する第２接点部とを有する。
【００１１】
筐体の内面における音響部品に対応する位置に共鳴空間を設け、共鳴空間に第２電線部を収容するようにした。これにより、第２電線部を収容する凹部を別途形成する必要がない。
また、フレキシブル回路基板に第１接点部を設け、かつ、音響部品の底面に第２接点部を設け、第２接点部を第１接点部に接触するようにした。
これにより、フレキシブル回路基板、音響部品を順次積層させることにより、第１接点部および第２接点部を自動的に接続できるので組立工程を簡略にできる。
【００１２】
本発明の携帯端末は、前記同軸ケーブルは、前記第２電線部に連結され、前記表示装置に向かって配設される第３電線部と、前記第３電線部に連結され、前記回路基板における前記表示装置側の面に設けられた接続部に接続される第４電線部と、前記第４電線部に設けられ、前記回路基板における前記表示面側に設けられたコネクタに接続される接続部とを有する。
【００１３】
回路基板の面方向に沿って連続する第２電線部に第３電線部を連結し、第３電線部を表示装置に向かって配設した（立ち上げた）。また、第３電線部に連結した第４電線部を接続部に接続した。この接続部を、回路基板における表示面側に設けられたコネクタに接続した。
よって、回路基板における表示面と反対側の面に第４電線、接続部やコネクタを設ける必要がない。これにより、反対側の面の組付け領域を大きく確保できるので、実装部品の配置の自由度を確保して携帯端末のデザインの自由度を高めることができる。
【００１４】
さらに、回路基板における表示面側に設けられたコネクタに接続部を接続した。ここで、表示面に表示装置を設ける開口部が形成されている。よって、回路基板における表示面側にコネクタを設けることにより、表示面の開口部を利用してコネクタに接続部を容易に接続できるので、組立性を改善できる。
【００１５】
本発明の携帯端末は、前記映像素子部は、前記軸部の周部に設けられた鍔部と、前記鍔部に連結され、前記軸部の軸線に対して直交する方向に連通可能な枠部と、前記枠部に収容され、前記軸部の軸線に対して直交する方向に沿って光軸が配向された映像素子と、前記枠部および前記映像素子を覆うととともに前記鍔部に開口が閉鎖される有底筒状のカバーと、前記カバーの側面における前記光軸に対応した位置に設けられた透光部と、を有する。
【００１６】
軸部の周部に鍔部を設け、鍔部に枠部を連結し、枠部に映像素子を収容した。軸部、鍔部、枠部を一体に形成することにより、映像素子を一部材で保持できる。
このように、映像素子を一部材で保持できるので部品点数を削減でき、構成の簡素化が図れる。
【００１７】
さらに、枠部および映像素子をカバーで覆い、かつ、カバーの開口が鍔部で閉鎖し、さらに、カバーの側面に透光部を設けた。
このように、映像素子部に枠部、カバーおよび透光部を有することにより、鍔部、カバーおよび透光部で映像素子部の防水性を確保できる。
【００１８】
本発明の携帯端末は、前記第１電線部に連結され、前記映像素子部の内部において分岐するとともに前記映像素子に接続される第１分岐線および第２分岐線を有し、前記枠部内において前記映像素子は、前記第１分岐線および前記第２分岐線に保持される。
【００１９】
第１電線部に第１分岐線および第２分岐線を連結し、各分岐線を映像素子部の内部において分岐した。よって、第１分岐線および第２分岐線が接続する各コネクタの全長を短くできる。
さらに、第１電線部を第１分岐線および第２分岐線に分岐することにより、第１分岐線および第２分岐線を束ねた各分岐線の径を小さくできる。よって、第１分岐線および第２分岐線の取り回しが容易になり、映像素子に沿わせて回し込むことができる。
このように、第１分岐線および第２分岐線が接続する各コネクタの全長を短くし、かつ、第１分岐線および第２分岐線を映像素子に沿わせて回し込むことにより、映像素子部の小型化を実現できる。
【００２０】
加えて、分岐された第１分岐線および第２分岐線を各コネクタを介して映像素子に接続することにより各分岐線で映像素子を保持するようにした。
このように、第１分岐線および第２分岐線を映像素子の保持部材として兼用することにより部品点数を少なく抑えて、映像素子部の一層の小型化を実現できる。
【００２１】
本発明の携帯端末は、前記映像素子と前記透光部との間に設けられた環状の弾性部材と、前記弾性部材と前記透光部との間に設けられ、前記カバーの内面に摺接可能な板金部材と、を有する。
【００２２】
環状の弾性部材および透光部間に板金部材を設け、板金部材をカバーの内面に摺接させた。これにより、鍔部にカバーを取り付ける際に、カバーの内面を板金部材に対して摺動させることができ組立性を良好に保つことができる。
さらに、弾性部材および透光部間に板金部材を設けることにより、弾性部材のめくれを防ぐことがきる。これにより、カバーの内部に不可避的に残留していた埃がカバーの内部で移動して映像素子の光軸前に移動することを防いで、映像素子の光軸を埃で阻害することを防止できる。
【００２３】
本発明の携帯端末は、前記鍔部と、前記開口との間にＯリングが介装されている。
【００２４】
鍔部および開口間にＯリングを介装することにより、鍔部および開口間の密閉性を実現できるので映像素子部の防水性を一層良好に確保できる。
【発明の効果】
【００２５】
本発明の携帯端末によれば、軸部の中空部を介して筐体および映像素子部間に同軸ケーブルを配設し、同軸ケーブルの第１電線部を止水部で握着することにより、筐体に対して映像素子部を回動可能に設けた状態において筐体の防水性が確保できる。
【図面の簡単な説明】
【００２６】
【図１】本発明に係る携帯端末を映像素子部の反対側から見た状態を示す斜視図
【図２】図１の携帯端末を映像素子部側から見た状態を示す斜視図
【図３】図１のＩ−Ｉ線断面図
【図４】図１の携帯端末を示す分解斜視図
【図５】図４の携帯端末からシャーシを分解した状態を示す分解斜視図
【図６】図１の携帯端末から表示装置を除去した状態を示す平面図
【図７】図６の携帯端末に同軸ケーブルを図示した状態を示す平面図
【図８】図１のＩＩ−ＩＩ線断面図
【図９】本発明に係る映像素子部および同軸ケーブルを示す斜視図
【図１０】図９のＩＩＩ−ＩＩＩ線断面図
【図１１】図９の映像素子部を示す分解斜視図
【図１２】本発明に係る映像素子部の弾性部材を示す分解斜視図
【図１３】図１１の映像素子部をカバーの底部側から見た状態を示す斜視図
【図１４】本発明に係る映像素子部の枠部および映像素子を示す分解斜視図
【図１５】従来の映像素子部を示す分解斜視図
【図１６】本発明に係る映像素子部の第１分岐線コネクタおよび第２分岐線コネクタを示す斜視図
【図１７】（Ａ）は本発明に係る映像素子部のカバーを組み付ける例を説明する斜視図、（Ｂ）は本発明に係る映像素子部から板金部材および弾性部材を除去した状態でカバーを組み付ける例を説明する斜視図
【図１８】本発明に係る同軸ケーブルを示す斜視図
【図１９】図１８の同軸ケーブルを筐体の平面側から見た状態を示す平面図
【図２０】本発明に係る第１分岐線および第２分岐線を示す斜視図
【図２１】本発明に係る接続部およびコネクタを示す平面図
【図２２】（Ａ）は本発明に係る回路基板にヘッドセットジャックコネクタをフレキシブル回路基板で接続した状態を示す斜視図、（Ｂ）は本発明に係る回路基板にヘッドセットジャックコネクタを取り付けた状態を示す斜視図
【図２３】（Ａ）は図２３（Ａ）を筐体の背面側から見た状態を示す斜視図、（Ｂ）は図２３（Ｂ）を筐体の背面側から見た状態を示す斜視図
【発明を実施するための形態】
【００２７】
以下、本発明の実施形態に係る携帯端末について図面を参照して説明する。
【００２８】
（第１実施形態）
図１、図２に示すように、携帯端末１０は、略矩形体状に形成された筐体１１と、筐体１１に設けられた表示装置１２と、筐体１１に収容されたシャーシ１４（図５参照）、回路基板１６および音響部品１８とを備えている。
【００２９】
また、携帯端末１０は、筐体１１の角部に設けられた映像素子部２０と、筐体１１および映像素子部２０間に配設された同軸ケーブル２２と、同軸ケーブル２２（第１電線部９４（図１０参照）に連結された第１分岐線２４および第２分岐線２５（図１３参照）とを有する。
【００３０】
さらに、携帯端末１０は、筐体１１に収容されて一方の第１端面１１Ｃに露出する外部コネクタ２６およびヘッドセットジャックコネクタ２８と、筐体１１の内面１１Ｉに設けられた共鳴空間２９（図３参照）とを有する。
【００３１】
加えて、携帯端末１０は、図３に示すように、共鳴空間２９および同軸ケーブル２２（第２電線部９５）を覆うフレキシブル回路基板３１と、フレキシブル回路基板３１に設けられた第１接点部３２と、音響部品１８に設けられた第２接点部３３とを有する。
【００３２】
図４、図５に示すように、筐体１１は、表示面１１Ａ、背面１１Ｂ、一対の第１端面１１Ｃ、１１Ｄ、一対の第２端面１１Ｅ、１１Ｆを有する。
表示面１１Ａは表示装置１２が設けられる面であり、背面１１Ｂは表示面１１Ａの反対側に設けられる面である。一対の第１端面１１Ｃ、１１Ｄは、表示面１１Ａに対して直交する短辺である。一対の第２端面１１Ｅ、１１Ｆは、表示面１１Ａおよび一対の第１端面１１Ｃ、１１Ｄに対して直交する長辺である。
表示面１１Ａ、背面１１Ｂ、一対の第１端面１１Ｃ、１１Ｄおよび一対の第２端面１１Ｅ、１１Ｆで筐体１１が略矩形体状に形成されている。
【００３３】
また、筐体１１は、一方の角部１１Ｇに形成された切欠部３５と、他方の角部１１Ｈの近傍に形成されたカメラ用の発光部３６（図２参照）と、他方の第１端面１１Ｄに形成されたマイク音孔３７とを有する。
一方の角部１１Ｇは、一方の第１端面１１Ｃおよび一方の第２端面１１Ｅが交差する凸状の部位である。また、他方の角部１１Ｈは、一方の第１端面１１Ｃおよび他方の第２端面１１Ｆが交差する凸状の部位である。
【００３４】
図２に示す発光部３６は、映像素子部２０が起動しているときに点灯するように制御される起動ランプである。
発光部３６を他方の角部１１Ｈの近傍に設けることにより、映像素子部２０を回転させて光軸７９（図１２参照）の位置を多方向に向けて撮影しても、被撮影者から発光部を見ることができる。よって、映像素子部２０をどの方向に回転させて撮影しても、被撮影者が発光部を見て撮影されていることに気づくことができる。
【００３５】
この発光部３６は、確認を一層容易にするために、一方の第１端面１１Ｃから僅かに突出されることが好ましい。
また、発光部３６に加えて、筐体１１の背面１１Ｂのうち映像素子部２０の近傍に、もう一つの起動ランプ用の発光部が設けられている。
【００３６】
図６、図７に示すように、切欠部３５は、第３端面３５Ａと、第４端面３５Ｂとに囲まれて凹状に形成されている。
第３端面３５Ａは、一方の第１端面１１Ｃに対して平行、かつ、一方の第２端面１１Ｅに隣り合う面である。第４端面３５Ｂは、一方の第２端面１１Ｅに対して平行、かつ、一方の第１端面１１Ｃおよび第３端面３５Ａに隣り合う面である。
【００３７】
図８に示すように、表示装置１２は、筐体１１の開口部３８に収容された表示部４１と、表示部４１を覆うように筐体１１の開口部３８に設けられた表面カバー（表示面）４２とを有する。
表面カバー４２の上部にレシーバ用の音孔４３が形成されている。
【００３８】
表示装置１２と筐体１１との間にシャーシ１４（図３も参照）が設けられている。
このシャーシ１４は、図５、図６に示すように、略矩形状に形成され、下左角部１４Ａ、下右角部１４Ｂ、上右角部１４Ｃ、および上左角部１４Ｄ寄りの部位１４Ｅが各固定ビス４５で筐体１１に固定されている。
【００３９】
上左角部１４Ｄ寄りの部位１４Ｅを筐体１１に固定する固定ビス４５は、外部コネクタ２６の直下に設けられている。これにより、外部コネクタ２６を固定ビス４５で保護できる。外部コネクタ２６は、ＵＳＢコネクタを接続する端子であり、ＵＳＢコネクタの未使用時にコネクタ蓋２７で覆われている。
【００４０】
また、固定ビス４５を上左角部１４Ｄから離すことにより、上左角部１４Ｄにヘッドセットジャックコネクタ２８を取り付けることができる。このヘッドセットジャックコネクタ２８の近傍に固定ビス４５が取り付けられているので、ヘッドセットジャックコネクタ２８も固定ビス４５で保護できる。
ヘッドセットジャックコネクタ２８は、イヤホンやマイクロフォンを接続する端子である。
なお、シャーシ１４の下半部の開口１４Ｆに電池パック４７が収容されている。
【００４１】
図４、図５に戻って、回路基板１６は、略矩形状に形成され、筐体１１の内部（空間）４９のうち上半部に収容されている（図８も参照）。回路基板１６の下方には電池パック４７が収容されている。
【００４２】
図６、図９に示すように、映像素子部２０は、第４端面３５Ｂに連結された軸部５１（図１０参照）と、軸部５１に支持されるとともに切欠部３５に配置された本体５４とを有する。映像素子部２０としてカメラ部やプロジェクターが例示される。
【００４３】
図１０に示すように、映像素子部２０の軸部５１は、第４端面３５Ｂに固定ブラケット５５、支持部５６を介して回動自在に連結されている。この軸部５１に第３端面３５Ａ（図６参照）に対して平行な方向に延びる中空部５２が形成されている。
固定ブラケット５５は、固定ビス５７を介してシャーシ１４（図６参照）に固定されている。
映像素子部２０の本体５４は、軸部５１に支持されることにより、軸部５１の軸線５８を中心として筐体１１に対して回動可能に設けられている。
【００４４】
図１０、図１１に示すように、本体５４は、軸部５１の周部５１Ａに設けられた鍔部６１と、鍔部６１に連結された枠部６２と、枠部６２に収容された映像素子６３と、映像素子６３に取り付けられたフレキシブル回路基板６４とを有する。
【００４５】
また、本体５４は、鍔部６１に設けられた凹部６５と、フレキシブル回路基板６４に設けられた第１分岐線コネクタ６６および第２分岐線コネクタ６７（図１６参照）と、枠部６２および映像素子６３を覆うカバー６８とを有する。
さらに、本体５４は、カバー６８に設けられた透光部６９と、カバー６８の側面６８Ｂおよび映像素子６３間に介在されたクッション７０とを有する。
【００４６】
加えて、本体５４は、図１０、図１２に示すように、映像素子６３と透光部６９との間に設けられた弾性部材７１と、弾性部材７１と透光部６９との間に設けられた板金部材７２と、鍔部６１およびカバー６８の開口６８Ａ間に介装されたＯリング７３とを有する。
【００４７】
鍔部６１は、軸部５１の周部５１Ａから半径方向外側に向けて一体に張り出されるように設けられ、外周の全域に亘ってリング溝６１Ａが形成されている。このリング溝６１ＡにＯリング７３が設けられている。
【００４８】
枠部６２は、図１３、図１４に示すように、鍔部６１の両端からアーム７５がそれぞれ延出され、一対のアーム７５の先端が連結部７６で連結されている。
鍔部６１、一対のアーム７５および連結部７６で軸部５１の軸線５８（図１０参照）に対して直交する方向に連通する収容空間７７が形成されている。よって、枠部６２に映像素子６３を軸部５１の軸線５８に対して直交する方向に連通させることにより、映像素子６３を収容空間７７（すなわち、枠部６２内）に収容できる。
【００４９】
映像素子６３は、図１２に示すように、枠部６２内に収容可能に略矩形体状に形成され、枠部６２に収容された状態で、軸部５１の軸線５８に対して直交する方向に沿って光軸７９が配向されている。
【００５０】
図１０、図１３に示すように、軸部５１の周部５１Ａに鍔部６１を設け、鍔部６１に枠部６２を連結し、枠部６２に映像素子６３を収容した。軸部５１、鍔部６１、枠部６２を一体に形成することにより、映像素子６３を一部材で保持できる。
このように、映像素子６３を一部材で保持できるので部品点数を削減でき、構成の簡素化が図れる。
【００５１】
これに対して、図１５に示すように、従来の映像素子部２００は、一対の保持部材２０１が組み合わされて軸部２０２およびホルダ２０３が形成され、ホルダ２０３に映像素子２０４が収容される。
このため、従来の映像素子部２００は、部品点数が増し、構成が複雑になる。
【００５２】
図１０、図１４に示すように、枠部６２内に映像素子６３が収容されることにより、映像素子６３を軸部５１の軸線５８を中心として筐体１１に対して回動可能に配置される。
これにより、光軸７９を筐体１１の背面１１Ｂ側に向けた位置と、光軸７９を表示装置１２の表面カバー４２側に向けた位置との間で映像素子６３を１８０度回転できる。
【００５３】
フレキシブル回路基板６４は、映像素子６３における透光部６９とは反対側の底部６３Ａに取り付けられている。このフレキシブル回路基板６４は、略中央部が１８０度折り返されることにより、折り返された折返部６４Ａが枠部６２（具体的には、鍔部６１）に向けて配向（突出）されている。
【００５４】
凹部６５は、枠部６２（具体的には、鍔部６１）に設けられ、折返部６４Ａを収容可能に凹状に形成されている。フレキシブル回路基板６４を折り返して折返部６４Ａを突出させながら、折返部６４Ａが鍔部６１の凹部６５に組み込まれる。
【００５５】
折返部６４Ａが鍔部６１の凹部６５に組み込まれることにより映像素子部２０を小型化できる。
さらに、折返部６４Ａが凹部６５に組み込まれることにより、鍔部６１の凹部６５に折返部６４Ａが係合される。よって、係合部材として係止爪や両面テープを使用することなく映像素子６３が枠部６２から抜け出すことを防止できる。
これにより、係合部材（係止爪や両面テープ）を削減できるので構造の簡素化、組込工数の削減を実現できる。
【００５６】
図１６に示すように、第１分岐線コネクタ６６は、フレキシブル回路基板６４に設けられ、第１分岐線２４に接続されている。
第２分岐線コネクタ６７は、フレキシブル回路基板６４に設けられ、第２分岐線２５に接続されている。
第１分岐線コネクタ６６が第１分岐線２４に接続され、第２分岐線コネクタ６７が第２分岐線２５に接続されることにより、第１分岐線２４および第２分岐線２５で映像素子６３が枠部６２内において保持される。
第１分岐線２４および第２分岐線２５については後で詳しく説明する。
【００５７】
カバー６８は、図１３、図１４に示すように、一端に開口６８Ａを有し、他端が有底筒状に形成され、側面６８Ｂにおける光軸７９に対応した位置に光軸開口８１が形成されている。
このカバー６８は、図９、図１０に示すように、枠部６２および映像素子６３を覆うととともに鍔部６１で開口６８Ａが閉鎖される。
透光部６９は、カバー６８の側面６８Ｂにおける光軸７９に対応した光軸開口８１に設けられることにより、光軸開口８１が透光部６９で閉塞されている。
【００５８】
このように、枠部６２および映像素子６３がカバー６８で覆われ、カバー６８の開口６８Ａが鍔部６１（Ｏリング７３）で閉鎖され、さらに、光軸開口８１が透光部６９で閉塞されている。
これにより、鍔部６１、カバー６８および透光部６９で映像素子部２０の防水性を確保できる。
【００５９】
弾性部材７１は、図１０、図１２に示すように、映像素子６３と透光部６９との間に設けられた部材である。具体的には、弾性部材７１は、環状に形成され、映像素子６３と板金部材７２との間に設けられ、光軸７９に対して同軸上に配置されている。
【００６０】
板金部材７２は、表面７２Ａに設けられた環状のリブ８３と、環状のリブ８３の内側に形成された開口８４と、一端７４Ａに設けられた一対の係止爪８５と、他端７４Ｂに設けられた係止爪８６とを有する。
一対の係止爪８５が鍔部６１の両端係止部８７に係止され、係止爪８６が連結部７６の係止部８８に係止されることにより板金部材７２が枠部６２に固定されている。
板金部材７２が枠部６２に固定されることにより、板金部材７２と映像素子６３との間に弾性部材７１が介装される。
【００６１】
板金部材７２および弾性部材７１が枠部６２、映像素子６３とともにカバー６８で覆われた状態で、弾性部材７１とカバー６８の側面６８Ｂとの間に板金部材７２が設けられる。これにより、板金部材７２に形成された環状のリブ８３がカバー６８（側面６８Ｂ）の内面６８Ｃに摺接される。
環状のリブ８３は、透光部６９側に突出されることによりカバー６８（側面６８Ｂ）の内面６８Ｃに摺接可能に形成されている。
【００６２】
ここで、図１７（Ａ）に示すように、枠部６２に板金部材７２を固定することにより、板金部材７２のリブ８３をカバー６８（側面６８Ｂ）の内面６８Ｃ（図１０参照）に摺接させることができる。
これにより、鍔部６１にカバー６８を取り付ける際に、カバー６８の内面６８Ｃを板金部材７２に対して摺動させることができ組立性を良好に保つことができる。
【００６３】
これに対して、図１７（Ｂ）に示すように、枠部６２に板金部材７２を固定しない場合、弾性部材７１がカバー６８（側面６８Ｂ）の内面６８Ｃ（図１０参照）に接触する。
これにより、鍔部６１にカバー６８を取り付ける際に、内面６８Ｃが弾性部材７１に引っ掛かり弾性部材７１がめくれてしまうことが考えられる。
【００６４】
ここで、枠部６２および映像素子６３をカバー６８で覆う際に、映像素子部２０の内部９１（図１０参照）に不可避的に埃が残留することが考えられる。
しかし、図１０に示すように、板金部材７２で弾性部材７１のめくれを防ぐことにより、映像素子部２０の内部９１に不可避的に残留していた埃が映像素子部２０の内部９１で移動して映像素子６３の光軸７９前に移動することを防ぐことができる。
これにより、映像素子６３の光軸７９を埃で阻害することを防止できる。
【００６５】
なお、弾性部材７１の周囲にリブを設けることが好ましい。弾性部材７１の周囲にリブを設けることにより、弾性部材７１をリブで保持して弾性部材７１のめくれを一層好適に防止できる。
【００６６】
Ｏリング７３は、鍔部６１のリング溝６１Ａに設けられ、カバー６８の開口６８Ａと接触されている。このように、鍔部６１および開口６８Ａ間にＯリング７３を介装することにより、鍔部６１および開口６８Ａ間の密閉性を実現できるので映像素子部２０の防水性を一層良好に確保できる。
【００６７】
図１０、図１１に示すように、同軸ケーブル２２は、軸部５１の中空部５２を介して筐体１１および映像素子部２０間に配設されている。
この同軸ケーブル２２は、軸部５１の軸線５８に沿う第１電線部９４と、筐体１１の内部４９において第１電線部９４に連結された第２電線部９５と、第２電線部９５に連結された第３電線部９６と、第３電線部９６に連結された第４電線部９７とを有する。
【００６８】
さらに、同軸ケーブル２２は、図１８、図１９に示すように、第４電線部９７に設けられた接続部９８と、筐体１１の内部４９において第１電線部９４を握着する止水部９９（図１０も参照）とを有する。
【００６９】
図１０に示すように、第１電線部９４は、軸部５１の軸線５８に沿うとともに端部９４Ａが筐体１１の内部４９に配置されている。
図７、図２０に示すように、第１電線部９４に第１分岐線２４および第２分岐線２５が連結されている。第１分岐線２４および第２分岐線２５は、映像素子部２０の内部９１（図１０参照）において分岐され、それぞれ第１分岐線コネクタ６６および第２分岐線コネクタ６７を介して映像素子６３に接続されている。
第１分岐線２４および第２分岐線２５を映像素子６３に接続することにより、第１分岐線２４および第２分岐線２５で映像素子６３が枠部６２内において保持される。
【００７０】
このように、映像素子部２０の内部９１において第１電線部９４を第１分岐線２４および第２分岐線２５に分岐した。よって、第１分岐線２４および第２分岐線２５が接続する第１分岐線コネクタ６６および第２分岐線コネクタ６７の全長Ｌ（図１６参照）をそれぞれ短くできる。
【００７１】
さらに、第１電線部９４を第１分岐線２４および第２分岐線２５に分岐することにより、第１分岐線２４および第２分岐線２５を束ねたそれぞれの径Ｄ（第２分岐線２５のみの径Ｄを図１６に示す）を小さくできる。
よって、第１分岐線２４および第２分岐線２５の取り回しが容易になり、映像素子６３に沿わせて回し込むことができる。
【００７２】
このように、第１分岐線コネクタ６６および第２分岐線コネクタ６７の全長Ｌをそれぞれ短くし、かつ、第１分岐線２４および第２分岐線２５を映像素子６３に沿わせて回し込むことにより、映像素子部２０の小型化を実現できる。
【００７３】
加えて、分岐された第１分岐線２４および第２分岐線２５をそれぞれ第１分岐線コネクタ６６および第２分岐線コネクタ６７を介して映像素子６３に接続することにより第１分岐線２４および第２分岐線２５で映像素子６３を保持できる。
このように、第１分岐線２４および第２分岐線２５を映像素子６３の保持部材として兼用することにより部品点数を少なく抑えて、映像素子部２０の一層の小型化を実現できる。
【００７４】
図１１、図１９に示すように、第２電線部９５は、筐体１１の内部４９において第１電線部９４の端部９４Ａに連結され、第１電線部９４に対して交差するとともに回路基板１６の面１６Ａ方向に沿って連続されている。
さらに、第２電線部９５は、図３に示すように、筐体１１の内面１１Ｉおよび音響部品１８間に配置されている。
音響部品１８としてレシーバやマイクロフォンが例示される。
【００７５】
第３電線部９６は、図１１、図１８に示すように、第２電線部９５に連結され、表示装置１２に向かって配設されている。
第４電線部９７は、図２１に示すように、第３電線部９６に連結され、回路基板１６における表示装置１２側の面１６Ｂに設けられた接続部９８に接続されている。
【００７６】
接続部９８は、第４電線部９７に設けられ、回路基板１６における表面カバー４２（図８参照）側に設けられたコネクタ１０１に接続されている。
よって、図８、図２１に示すように、回路基板１６における表面カバー４２と反対側の面１６Ａに第４電線部９７、接続部９８やコネクタ１０１を設ける必要がない。
これにより、反対側の面１６Ａの組付け領域を大きく確保できるので、実装部品１０２の配置の自由度を確保して携帯端末１０のデザインの自由度を高めることができる。
【００７７】
さらに、回路基板１６における表面カバー４２側に設けられたコネクタ１０１に接続部９８を接続した。ここで、筐体１１の表示面１１Ａに表示装置１２を設ける開口部３８が形成されている。
よって、回路基板１６における表面カバー４２側の面１６Ｂにコネクタ１０１を設けることにより、表示面１１Ａの開口部３８を利用してコネクタ１０１に接続部９８を容易に接続できるので、組立性を改善できる。
【００７８】
止水部９９は、図１０、図１１に示すように、第１電線部９４を握着するグロメット１０４と、グロメット１０４に設けられたシールリング１０５とを有する。
シールリング１０５でグロメット１０４および筐体１１間を密着することにより、筐体１１に対して映像素子部２０を回動可能に設けた状態において筐体１１の防水性を止水部９９で確保できる。
【００７９】
グロメット１０４の端部１０４Ａに可撓性のチューブ部１０６の一端部が嵌合され、軸部５１の端部５１Ｂのチューブ部１０６の他端部が嵌合されている。これにより、チューブ部１０６が第１電線部９４で覆われることにより第１電線部９４の防水性を確保できる。
また、第１電線部９４が比較的長く形成されることによりチューブ部１０６の長さを大きく確保できる。これにより、映像素子部２０の回転に追従させてチューブ部１０６を無理なく捩らせることができる。
【００８０】
ここで、図７に示すように、止水部９９（図１１も参照）は、一方の第１端面１１Ｃ側から矢印の如く見たときに、音響部品１８に対して重複するように配置されている。
【００８１】
外部コネクタ２６は、筐体１１のうち一方の第１端面１１Ｃ側に収容され、一方の第１端面１１Ｃから接続端子２６Ａ（図２２（Ａ）および図２２（Ｂ）、図２３（Ａ）および図２３（Ｂ）参照）が露出されている。露出された接続端子２６Ａはコネクタ蓋２７で覆われている。
この外部コネクタ２６は、図２２（Ａ）および図２２（Ｂ）、図２３（Ａ）および図２３（Ｂ）に示すように、回路基板１６の上端１６Ｃに設けられている。
図７に示すように、外部コネクタ２６は、一方の第１端面１１Ｃ側から矢印の如く見たときに、音響部品１８に対して互いに少なくとも一部３０が重複するように配置されている。
【００８２】
すなわち、一方の第１端面１１Ｃ側から見たときに、止水部９９および音響部品１８が重複しているとともに、音響部品１８および外部コネクタ２６の少なくとも一部３０が互いに重複している。
よって、止水部９９、音響部品１８および外部コネクタ２６をコンパクトにまとめて配置できる。これにより、筐体１１内部の内部４９を有効活用して止水部９９、音響部品１８および外部コネクタ２６を収容できるので筐体１１を小型に形成できる。
【００８３】
図３、図１８に示すように、共鳴空間２９は、筐体１１の背面１１Ｂ側のうち、筐体１１の内面１１Ｉにおける音響部品１８に対応する位置に設けられ、第２電線部９５が収容可能に凹状に形成されている。
フレキシブル回路基板３１は、筐体１１の内部４９において、音響部品１８および筐体１１の背面１１Ｂ間に介装され、共鳴空間２９および第２電線部９５を覆うように配置されている。
【００８４】
フレキシブル回路基板３１における共鳴空間２９とは反対側の面３１Ａに一対の第１接点部３２が設けられている。一対の第１接点部３２に対峙する位置に一対の第２接点部３３が配置されている。
一対の第２接点部３３は、音響部品１８におけるフレキシブル回路基板３１側を向く底面１８Ａに設けられ、第１接点部３２に接触可能な接点部である。
【００８５】
筐体１１の内面１１Ｉにおける音響部品１８に対応する位置に共鳴空間２９を設け、共鳴空間２９に第２電線部９５を収容するようにした。これにより、第２電線部９５を収容する凹部６５を別途形成する必要がない。
また、フレキシブル回路基板３１に一対の第１接点部３２を設け、かつ、音響部品１８の底面１８Ａに一対の第２接点部３３を設け、第２接点部３３を第１接点部３２に接触するようにした。
これにより、フレキシブル回路基板３１、音響部品１８を順次積層させることにより、第１接点部３２および第２接点部３３を自動的に接続できるので組立工程を簡略にできる。
【００８６】
図２２（Ａ）および図２２（Ｂ）、図２３（Ａ）および図２３（Ｂ）に示すように、回路基板１６が略矩形状に形成され、回路基板１６の上端（すなわち、筐体１１の一方の第１端面１１Ｃ（図４参照）に対応する端部）１６Ｃに外部コネクタ２６が設けられている。
また、回路基板１６の上端１６Ｃにヘッドセットジャックコネクタ２８がフレキシブル回路基板１０９を介して接続されている。このヘッドセットジャックコネクタ２８は回路基板１６の上端１６Ｃに設けられている。
【００８７】
回路基板１６は、上端１６Ｃのうち外部コネクタ２６の直下にねじ孔１１２が形成されている。このねじ孔１１２に差し込まされた固定ビス４５（図３参照）が、筐体１１の背面１１Ｂにねじ結合される。
これにより、外部コネクタ２６およびヘッドセットジャックコネクタ２８を固定ビス４５で保護できる。
【００８８】
なお、本発明に係る携帯端末は、前述した実施形態に限定されるものではなく適宜変更、改良等が可能である。
例えば、前述した実施形態で使用した携帯端末、筐体、表示装置、回路基板、音響部品、映像素子部、同軸ケーブル、第１分岐線、第２分岐線、外部コネクタ、フレキシブル回路基板、切欠部、軸部、鍔部、枠部、映像素子、第１分岐線コネクタ、第２分岐線コネクタ、カバー、透光部、弾性部材、板金部材、Ｏリング、接続部および止水部等の形状や構成は例示したものに限定するものではなく適宜変更が可能である。
【産業上の利用可能性】
【００８９】
本発明は、筐体に映像素子部を回動可能に配置し、映像素子部の軸部内を介して筐体および映像素子部間に同軸ケーブルが配設された携帯端末への適用に好適である。
【符号の説明】
【００９０】
１０  携帯端末
１１  筐体
１１Ａ  表示面
１１Ｃ  一方の第１端面（第１端面）
１１Ｅ  一方の第２端面（第２端面）
１１Ｉ  筐体の内面
１２  表示装置
１６  回路基板
１８  音響部品
１８Ａ  底面
２０  映像素子部
２２  同軸ケーブル
２４  第１分岐線
２５  第２分岐線
２６  外部コネクタ
２９  共鳴空間
３１  フレキシブル回路基板
３１Ａ  反対側の面
３２  第１接点部
３３  第２接点部
３５  切欠部
３５Ａ  第３端面
３５Ｂ  第４端面
４９  筐体の内部
５１  軸部
５１Ａ  軸部の周部
５２  中空部
５８  軸線
６１  鍔部
６２  枠部
６３  映像素子
６６  第１分岐線コネクタ（コネクタ）
６７  第２分岐線コネクタ（コネクタ）
６８  カバー
６８Ａ  カバーの開口
６８Ｂ  カバーの側面
６８Ｃ  カバーの内面
６９  透光部
７１  弾性部材
７２  板金部材
７３  Ｏリング
７９  光軸
９１  映像素子部の内部
９４  第１電線部
９４Ａ  第１電線部の端部
９５  第２電線部
９６  第３電線部
９７  第４電線部
９８  接続部
９９  止水部
【図１】
2014103638.tif 000003
【図２】
2014103638.tif 000004
【図３】
2014103638.tif 000005
【図４】
2014103638.tif 000006
【図５】
2014103638.tif 000007
【図６】
2014103638.tif 000008
【図７】
2014103638.tif 000009
【図８】
2014103638.tif 000010
【図９】
2014103638.tif 000011
【図１０】
2014103638.tif 000012
【図１１】
2014103638.tif 000013
【図１２】
2014103638.tif 000014
【図１３】
2014103638.tif 000015
【図１４】
2014103638.tif 000016
【図１５】
2014103638.tif 000017
【図１６】
2014103638.tif 000018
【図１７】
2014103638.tif 000019
【図１８】
2014103638.tif 000020
【図１９】
2014103638.tif 000021
【図２０】
2014103638.tif 000022
【図２１】
2014103638.tif 000023
【図２２】
2014103638.tif 000024
【図２３】
2014103638.tif 000025